(57)【特許請求の範囲】
【請求項１】
外装カバーの内側に基板が配されたカメラにおいて、
前記基板にクビレ部を介して一体的に成形された接着部と、
前記外装カバーの内面に形成され、前記外装カバーを組み付けると、前記接着部に当接される被接着部と、
を備え、前記接着部に接着剤を塗布して、前記外装カバーを組み付けると、前記接着部が前記被接着部に当接されて接着され、前記外装カバーを開くと、前記接着部が前記外装カバーに引っ張られて、前記基板が前記クビレ部で折れ、使用不能になることを特徴とするカメラ。
【請求項２】
前記外装カバーは、フロントカバーとリアカバーとで構成される一方、前記基板は、メインフレームに支持され、前記フロントカバーと前記リアカバーは、前記メインフレームの前後を覆うようにして取り付けられることを特徴とする請求項１に記載のカメラ。
【請求項３】
前記メインフレームには、複数枚の基板が支持され、一枚は、前記フロントカバーの内面に形成された被接着部に接着部を介して接着され、一枚は、前記リアカバーの内面に形成された被接着部に接着部を介して接着されることを特徴とする請求項２に記載のカメラ。
【発明の詳細な説明】
【０００１】
【発明の属する技術分野】
本発明はカメラに係り、特にリサイクル利用されるカメラに関する。
【０００２】
【従来の技術】
銀塩カメラの分野では、従来よりリサイクル利用されるカメラとしてレンズ付きフィルムが普及している。このようなレンズ付きフィルムは、行楽地などでカメラを携帯し忘れたときでも、その場で手軽に入手できるという利点がある。
【０００３】
一方、デジタルカメラも近年急速に高画素化が進んでおり、画質も銀塩カメラと遜色ないレベルに達していることから、銀塩カメラと同様に手軽に利用できるリサイクル可能なカメラの登場が望まれている。
【０００４】
ところで、このようにリサイクル利用されるカメラは安価で提供できることが前提となり、このためにもリサイクルをシステム化し、不正な再利用を防止する必要がある。
【０００５】
このような観点から特開平１１−２３４５４２号公報にはリサイクル利用可能なデジタルカメラとして、部品の交換時期を判断するためのデータを記録するメモリが備えられたデジタルカメラが開示されている。また、特開２０００−１９６９３１号公報には、撮影した画像データを暗号化することにより、販売店以外では復号化して読み出せないようにしたデジタルカメラが開示されている。また、特開２０００−１９６９９５号公報には、カメラに備えた不揮発性メモリに画像データ等をアナログ量として記録することにより、構成を簡略化したデジタルカメラが開示されている。
【０００６】
【発明が解決しようとする課題】
しかしながら、従来のリサイクルデジタルカメラでは、外装体を開き容易に分解等が可能であることから、メモリーカードの交換などにより容易に不正な再利用ができるという欠点がある。
【０００７】
本発明はこのような事情に鑑みてなされたもので、リサイクルをシステム化し、不正な再利用を防止できるカメラを提供することを目的とする。
【０００８】
【課題を解決するための手段】
請求項１に係る発明は、前記目的を達成するために、外装カバーの内側に基板が配されたカメラにおいて、前記基板にクビレ部を介して一体的に成形された接着部と、前記外装カバーの内面に形成され、前記外装カバーを組み付けると、前記接着部に当接される被接着部と、を備え、前記接着部に接着剤を塗布して、前記外装カバーを組み付けると、前記接着部が前記被接着部に当接されて接着され、前記外装カバーを開くと、前記接着部が前記外装カバーに引っ張られて、前記基板が前記クビレ部で折れ、使用不能になることを特徴とするカメラを提供する。
【０００９】
また、請求項２に係る発明は、前記目的を達成するために、前記外装カバーは、フロントカバーとリアカバーとで構成される一方、前記基板は、メインフレームに支持され、前記フロントカバーと前記リアカバーは、前記メインフレームの前後を覆うようにして取り付けられることを特徴とする請求項１に記載のカメラを提供する。
【００１０】
また、請求項３に係る発明は、前記目的を達成するために、前記メインフレームには、複数枚の基板が支持され、一枚は、前記フロントカバーの内面に形成された被接着部に接着部を介して接着され、一枚は、前記リアカバーの内面に形成された被接着部に接着部を介して接着されることを特徴とする請求項２に記載のカメラを提供する。
【００１１】
本発明によれば、外装体を開けると、外装体の内側に固定された基板が破壊される。これにより、基板自体の交換を行なわなければ、再利用できなくなり、不正な再利用を効果的に防止できる。また、メーカー側では基板の交換のみで済み、リサイクルをシステム化することができる。
【００１２】
【発明の実施の形態】
以下、添付図面に従って本発明に係るカメラの好ましい実施の形態について詳説する。
【００１３】
図１は本発明が適用されたデジタルカメラの分解斜視図である。このデジタルカメラ１０はリサイクル利用を目的としたカメラであり、たとえば撮影可能枚数があらかじめ設定されている。ユーザーは設定された枚数の撮影が終了すると、カメラごと販売店等に持ち込み、プリントの依頼やコンパクトディスク等の媒体への書き込みを依頼する。
【００１４】
図１に示すように、このデジタルカメラ１０の外装カバーはフロントカバー１２Ａとリアカバー１２Ｂとで構成され、その内側にはデジタルカメラを構成するプロセス基板１４や電源ストロボ基板１６、ＣＡＭ基板１８、レンズユニット２０等の各種構成部品がメインフレーム２４に支持された状態で収容されている。フロントカバー１２Ａとリアカバー１２Ｂは、このメインフレーム２４の前後に覆うようにして取り付けられ、図示しないビスでネジ止めされて固定される。
【００１５】
ここで、プロセス基板１４とＣＡＭ基板１８はフレキシブル基板２８を介して一体化されており（いわゆるリジッドフレキ基板）、電源ストロボ基板１６を挟み込むようにしてメインフレーム２４に取り付けられる。このプロセス基板１４とＣＡＭ基板１８の上辺には、外装カバーの内面に接着するための接着部１４Ａ、１８Ａが一体的に成形されている。
【００１６】
図２はプロセス基板１４に形成された接着部１４Ａの斜視図である。同図に示すように、接着部１４Ａはクビレ部１４ａを介してプロセス基板１４に一体的に成形されている。この接着部１４Ａにはリアカバー１２Ｂを組み付ける際、接着剤が塗布される。接着剤が塗布された接着部１４Ａはリアカバー１２Ｂが組み付けられると、そのリアカバー１２Ｂの内面に形成された被接着部１２ｂに当接されて接着される。
【００１７】
ＣＡＭ基板１８に形成された接着部１８Ａも同様にクビレ部１８ａを介してＣＡＭ基板１８に一体的に成形されており、フロントカバー１２Ａの組み付け時に接着剤が塗布される。そして、フロントカバー１２Ａを組み付けると、フロントカバー１２Ａの内面に形成された被接着部（不図示）に当接されて接着される。
【００１８】
また、プロセス基板１４とＣＡＭ基板１８とを接続するフレキシブル基板２８は、上層２８Ａと下層２８Ｂの上下２層で構成されており、下層２８Ｂのプロセス基板１４との接続部近傍には、片側から突出片３０が突出して形成されている。この突出片３０には穴３０Ａが形成されており、穴３０Ａにはリアカバー１２Ｂの組み付け時にリアカバー１２Ｂの内側に形成されたフック３２が引っ掛けられる。
【００１９】
以上のように構成された本実施の形態のデジタルカメラ１０の作用は次のとおりである。
【００２０】
上述したように、デジタルカメラ１０は、外装カバーの組み付け時、プロセス基板１４とＣＡＭ基板１８に形成された接着部１４Ａ、１８Ａに接着剤が塗布される。これにより、図４に示すように、接着部１４Ａ、１８Ａが、それぞれリアカバー１２Ｂとフロントカバー１２Ａの内面に接着される。
【００２１】
また、フレキシブル基板２８は、リアカバー１２Ｂの組み付け時にリアカバー１２Ｂに形成されたフック３２が突出片３０の穴３０Ａに引っ掛けられる。
【００２２】
たとえば、デジタルカメラ１０を分解等する目的でリアカバー１２Ｂを外そうとすると、リアカバー１２Ｂを外す瞬間にプロセス基板１４の接着部１４Ａがリアカバー１２Ｂに引っ張られ、図５に示すように、クビレ部１４ａで折れる。これにより、プロセス基板１４は使用不能になり、リアカバー１２Ｂを再び取り付けてもデジタルカメラ１０は使えなくなる。
【００２３】
フロントカバー１２Ａを外した場合も同様である。すなわち、フロントカバー１２Ａを外す瞬間にＣＡＭ基板１８の接着部１８Ａがフロントカバー１２Ａに引っ張られ、クビレ部１８ａで折れて使用不能になる。
【００２４】
また、リアカバー１２Ｂを外すと、リアカバー１２Ｂに突出片３０が引っ張られて、フレキシブル基板２８の下層２８Ｂが上層２８Ａから剥離する。これにより、内部線が切断されて使用不能になる。
【００２５】
このように、本実施の形態のデジタルカメラ１０によれば、外装カバーを外すと内部基板が折れ、あるいは剥離して使用不能になる。これにより、基板を交換しない限り再利用することができなくなり、不正な再利用を効果的に防止することができる。
【００２６】
また、メーカーサイドでは、基板の交換だけで済むので、リサイクルをシステム化することができ、安価なリサイクルデジタルカメラを提供することができるようになる。
【００２７】
なお、本実施の形態では、接着部１４Ａ、１８Ａを接着により外装カバーに固定しているが、接着部１４Ａ、１８Ａの固定方法はこれに限定されるものではない。たとえば、外装カバーの内側に爪を形成し、外装カバーを組み付けると、この爪が接着部１４Ａ、１８Ａに係合するように構成する。これにより、外装カバーを外すと、爪を介して接着部１４Ａ、１８Ａが外装カバーに引っ張られ、接着したときと同様にクビレ部１４ａ、１８ａで折れる。
【００２８】
また、接着以外で基板を外装カバーに固定する場合は、専用の治具を用いることにより、基板と外装カバーとの接続を解除できるようにすることが好ましい。これにより、不正な目的で外装カバーを外した場合にのみ基板が破壊されるようにすることができる。同様に専用の治具を用いることにより、フック３２と突出片３０との係合を解除できるようにすることが好ましい。
【００２９】
さらに、本実施の形態では、クビレ部１４ａ、１８ａで基板を折ることにより、基板を破壊しているが、基板の破壊方法は、これに限定されるものではない。たとえば、積層基板の場合は、外装カバーを外す力で外装カバーに接着された表層を引っ張り、表層を剥離させることにより破壊するようにしてもよい。または、基板に線上の溝を形成しておき、溝で折るようにしてもよい。
【００３０】
また、本実施の形態では、プロセス基板１４とＣＡＭ基板１８を破壊する例で説明したが、その他の基板が破壊されるようにしてもよい。
【００３１】
また、本実施の形態では、本発明をデジタルカメラに適用した例で説明したが、内部に基板が配されるカメラであれば銀塩カメラにも適用することができる。
【００３２】
【発明の効果】
以上説明したように、本発明によれば、外装体を開けると、外装体の内側に固定された基板が破壊されるので、不正な再利用を効果的に防止することができる。また、メーカー側では基板の交換のみで済むのでリサイクルをシステム化することができる。
【図面の簡単な説明】
【図１】本発明が適用されたデジタルカメラの分解斜視図
【図２】接着部の構成を示す斜視図（接着前）
【図３】フレキシブル基板の構成を示す斜視図
【図４】接着部の構成を示す斜視図（接着時）
【図５】接着部の構成を示す斜視図（破壊時）
【符号の説明】
１０…デジタルカメラ、１２Ａ…フロントカバー、１２Ｂ…リアカバー、１４…プロセス基板、１４Ａ…接着部、１４ａ…クビレ部、１６…電源ストロボ基板、１８…ＣＡＭ基板、１８Ａ…接着部、１８ａ…クビレ部、２０…レンズユニット、２４…メインフレーム、２８…フレキシブル基板、３０…突出片、３０Ａ…穴、３２…フック
【図１】
0004139945.tif 000002
【図２】
0004139945.tif 000003
【図３】
0004139945.tif 000004
【図４】
0004139945.tif 000005
【図５】
0004139945.tif 000006